(57)【要約】【課題】  操作感を悪化させることなくキー等の操作手段を多機能化する。【解決手段】  携帯電話１の本体部の前面には、カメラキー１０４、メールキー１０５、十字キー１０６、決定キー１０７、アドレスキー１０８、ネット接続キー１０９等が設けられている。メールキー１０５はメールモード移行時及びメールプログラムロード時に操作されるキーであるが、カメラモードの状態においては撮影画像サイズの切替用のキーとして機能させる。アドレスキー１０８は、アドレス帳データを表示する際に操作されるキーであるが、カメラモード時にはサブメニュー表示させるキーとして機能させる。ネット接続キー１０９は、外部のネットワーク接続用の操作キーであるが、カメラモードの状態においては撮影シーン（撮影条件）を切り替えるキーとして機能させる。【選択図】    図１
2005086613.tif 000002
【特許請求の範囲】
【請求項１】
外部と通信する通信手段と、被写体を撮影する撮影手段とを併有する携帯情報機器であって、
前記通信手段を制御するために設けられた通信用操作手段と、
前記通信手段を動作させる第１のモードと前記撮影手段を動作させる第２のモードとを選択的に設定する設定手段と、
この設定手段により前記第２のモードが設定されている場合、前記通信用操作手段の操作に応答して、前記撮影手段の所定の動作を制御する制御手段と
を有することを特徴とする携帯情報機器。
【請求項２】
前記所定の動作とは、前記撮影機能により撮影される画像のサイズを設定する動作であることを特徴とする請求項１記載の携帯情報機器。
【請求項３】
前記所定の動作とは、前記撮影機能の撮影条件を設定する動作であることを特徴とする請求項１又は２記載の携帯情報機器。
【請求項４】
前記撮影手段は、前記撮影する被写体を表示する表示手段を更に備え、
前記通信用操作手段は、装置本体の前記表示手段が配置された面と同一面側に配置されていることを特徴とする請求項１携帯情報機器。
【請求項５】
外部と通信する通信手段と、被写体を撮影する撮影手段とを併有するとともに、前記通信手段を制御するために通信用操作手段が設けられた携帯情報機器が有するコンピュータを、
前記通信手段を動作させる第１のモードと前記撮影手段を動作させる第２のモードとを選択的に設定する設定手段と、
この設定手段により前記第２のモードが設定されている場合、前記通信用操作手段の操作に応答して、前記撮影手段の所定の動作を制御する制御手段と
して機能させることを特徴とする操作機能制御プログラム。
【発明の詳細な説明】
【技術分野】
【０００１】
本発明は、カメラ付き携帯電話等、通信機能と撮影機能とを併有する携帯情報機器に関する。
【背景技術】
【０００２】
近年、例えば携帯電話等の携帯情報機器においては、電話やネットワーク接続等の通信機能と、デジタルカメラ機能とを併有するものが出現するに至っている。携帯情報機器においては、操作性の観点からキーのサイズを極度に小さくすることは好ましくなく、キーのサイズの下限には自ずと限界がある。その一方で、携帯性の観点からは装置本体のサイズを小さくすることが要求されることから、機器に配置可能なキーの数も自ずと制限される。そこで、テンキー等の特定のキーに複数の機能を割り付け、設定モードの切替により当該キーの機能を変化させることが考えられている（例えば、特許文献１参照。）。
【特許文献１】特開２００３−６７１２０号公報
【発明の開示】
【発明が解決しようとする課題】
【０００３】
しかしながら、前述のよう単に特定のキーに複数の機能を割り付け、モードの切り替えにより当該キーの機能を変化させると、複数の機能が割り付けられたキーによっては、通常あまり使用しないキーを操作せざるを得なくなり、通常あまり使用しないキーの操作頻度が増加する場合が生ずる。このため、通常あまり使用しないキーの操作を強いられ操作頻度が増加することに起因して、操作感が悪化してしまう。
【０００４】
本発明は、このような従来の課題に鑑みてなされたものであり、操作感を悪化させることなくキー等の操作手段を多機能化することのできる携帯情報機器及び操作機能制御プログラムを提供することを目的とするものである。
【課題を解決するための手段】
【０００５】
前記課題を解決するために請求項１記載の発明に係る携帯情報機器にあっては、外部と通信する通信手段と、被写体を撮影する撮影手段とを併有する携帯情報機器であって、前記通信手段を制御するために設けられた通信用操作手段と、前記通信手段を動作させる第１のモードと前記撮影手段を動作させる第２のモードとを選択的に設定する設定手段と、この設定手段により前記第２のモードが設定されている場合、前記通信用操作手段の操作に応答して、前記撮影手段の所定の動作を制御する制御手段とを有する。
【０００６】
すなわち、通信手段と撮影手段とを併有する携帯情報機器においては、通信手段を動作させる機会の方が撮影手段を動作させる機会よりも遙かに多い。したがって、通信手段を制御するために設けられた通信用操作手段に対する操作頻度は高いことから、通信用操作手は一般に親指操作が容易な箇所に配置され、かつ、操作頻度が高いことによりユーザはその操作に違和感なく慣れる。そこで、本発明においてはこの点に着目し、第２のモードが設定されている場合、通信用操作手段の操作に応答して、撮影手段の所定の動作を制御する。したがって、撮影手段の所定の動作を制御する際には、一般に親指操作が容易な箇所に配置され、かつ、ユーザがその操作に違和感なく慣れている通信用操作手段を操作すればよく、これにより操作感を悪化させることなく操作手段を多機能化することができる。
【０００７】
また、請求項２記載の発明に係る携帯情報機器にあっては、前記所定の動作とは、前記撮影機能により撮影される画像のサイズを設定する動作である。したがって、第２のモードにおいて通信用操作手段が操作されると、画像のサイズが設定される。
【０００８】
また、請求項３記載の発明に係る携帯情報機器にあっては、前記所定の動作とは、前記撮影機能の撮影条件を設定する動作である。したがって、第２のモードにおいて通信用操作手段が操作されると、撮影条件が設定される。
【０００９】
また、請求項４記載の発明に係る携帯情報機器にあっては、前記撮影手段は、前記撮影する被写体を表示する表示手段を更に備え、前記通信用操作手段は、装置本体の前記表示手段が配置された面と同一面側に配置されている。したがって、第２のモードにおいて、表示手段に表示される被写体を見ながら、通信用操作手段を操作することができる。
【００１０】
また、請求項５記載の発明係る操作機能制御プログラムにあっては、外部と通信する通信手段と、被写体を撮影する撮影手段とを併有するとともに、前記通信手段を制御するために通信用操作手段が設けられた携帯情報機器が有するコンピュータを、前記通信手段を動作させる第１のモードと前記撮影手段を動作させる第２のモードとを選択的に設定する設定手段と、この設定手段により前記第２のモードが設定されている場合、前記通信用操作手段の操作に応答して、前記撮影手段の所定の動作を制御する制御手段として機能させる。したがって、前記コンピュータがこのプログラムに従って処理を実行することにより、請求項１記載の発明と同様の作用効果を奏する。
【発明の効果】
【００１１】
以上説明したように請求項１及び５記載の発明によれば、通信手段と撮影手段とを併有する携帯情報機器においては、通信手段を動作させる機会の方が撮影手段を動作させる機会よりも遙かに多く、通信手段を制御するために設けられた通信用操作手段に対する操作頻度は高いことから、通信用操作手は一般に親指操作が容易な箇所に配置され、かつ、操作頻度が高いことによりユーザはその操作に違和感なく慣れることができる。したがって、撮影手段の所定の動作を制御する際には、一般に親指操作が容易な箇所に配置され、かつ、ユーザがその操作に違和感なく慣れている通信用操作手段を操作すればよく、これにより操作感を悪化させることなく操作手段を多機能化することができる。
【発明を実施するための最良の形態】
【００１２】
以下、本発明を携帯電話に適用した実施の形態を図に従って説明する。
図１は、本実施の形態に係る携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００１３】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。カメラキー１０４は、カメラモード（撮影モード）への移行時及び撮像部の起動させる際に操作されるとともに、カメラ−ムービー切り替えに使用される。
【００１４】
メールキー１０５はメールモード移行時及びメールプログラムロード時に操作されるキーであるとともに、カメラモードの状態においては撮影画像サイズの切り替えに使用されるキーでなる。十字キー１０６は、カーソル及びフォーカス移動時に操作され、カメラモード時には、左右方向は露出補正、上下方向はズーム調整として機能する。決定キー１０７は各種モードの決定時に操作され、また、カメラモード時にはシャッターキーとして機能する。
【００１５】
アドレスキー１０８は、アドレス帳データを表示する際に操作されるキーであるとともに、カメラモード時にはサブメニュー表示させる際に操作されるキーとなる。ネット接続キー１０９は、外部のネットワーク接続用の操作キーであるとともに、カメラモードの状態においては撮影シーン（撮影条件）を切り替える際に操作されるキーとなる。クリアキー１１０は、キャンセル指示用のキーであり、テンキー１１３は、文字入力及びダイアル入力用として使用される。
マイク１１４は、本体部の下部に設けられており、通話時において音声入力を行う。
【００１６】
また、蓋部の背面には、録音用マイク１１５、カラー液晶からなるサブ表示部１１６、着信の際、発光する報知用ＬＥＤ１１７、撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００１７】
図２は、携帯電話１の構成を示すブロック図である。無線部１２１は、アンテナ１０３に接続されており、ＱＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。通信データ処理部１２２１は、ＣＬＥＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜テンキー１１３で構成される。
【００１８】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、後述するように各種アプリケーションプログラム等を格納する。音源ＩＣ１２６は、報知音の波形を記憶するともに出力するものであって、アンプ１２７は音源ＩＣ１２６からの出力を増幅し、前記報知用スピーカ１２０はこれを再生する。
【００１９】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により被写体像が結像されるＣＣＤ等からなり、ＤＳＰ１２９は、この撮像デバイス１３０からの画像信号を処理するものである。
【００２０】
図３は、プログラムＲＯＭ１２５のメモリエリアの構成を示す概念図である。プログラムＲＯＭ１２５は、第１テーブル格納領域１２５１、第２テーブル格納領域１２５２、ソフトウェアプログラム格納領域１２５３及びその他の格納領域１２５４とを有している。ソフトウェアプログラム格納領域１２５３には、画像圧縮符号化処理機能を含む本実施の形態の特徴であるカメラアプリケーションが格納されており、その他の格納領域１２５４にはその他のアプリケーションが格納されている。
【００２１】
第１テーブル格納領域１２５１には、図４（ａ）に示すメールキー１０５の操作回数と撮影サイズの対応テーブルＭＴが格納されている。この対応テーブルＭＴには、カウント値Ｎ〜Ｎ＋８に対応して各々異なる画像の撮影サイズが記憶されている。
【００２２】
第２テーブル格納領域１２５２には、図４（ｂ）に示すネット接続キー１０９の操作回数と撮影シーン（撮影条件）の対応テーブルＮＴが格納されている。この対応テーブルＮＴには、カウント値Ｎ〜Ｎ＋８に対応して各々異なる撮影シーン（撮影条件）が記憶されている。
【００２３】
図５（ａ）は、前記ＲＡＭ１２４のメモリエリアの構成を示す概念図である。ＲＡＭ１２４は、カメラモード設定内容記憶テーブル１２４１、アドレス帳記憶領域１２４２、メールデータ記憶領域１２４３、画像メモリ１２４４、及びその他のワーク領域１２４５からなる。カメラモード設定内容記憶テーブル１２４１は、図５（ｂ）に示すように、前記対応テーブルＭＴから選択された何れかの撮影サイズを記憶するする撮影サイズ領域１２４６と、前記対応テーブルＮＴから選択された何れかの撮影シーン（撮影条件）を記憶する撮影シーン領域１２４７とで構成されている。アドレス帳記憶領域１２４２は、氏名、電話番号、メールアドレス等を１レコードとして複数記憶する。メールデータ記憶領域１２４３には、メールソフトウェアを使用して作成されたメールデータや、受信したメールデータを格納する。その他のワーク領域１２４５は、ワークメモリとして各種データ格納する。
【００２４】
次に、以上の構成に係る携帯電話１の動作について説明する。着信待受け状態にあり、かつ、カメラモードが非設定の状態においては、この携帯電話１は一般的な携帯電話と同様に機能する。つまり、前述のように、メールキー１０５は、メールモード移行時及びメールプログラムロード時に操作されるキーとして機能し、アドレスキー１０８は、アドレス帳データを表示する際に操作されるキーとして機能し、ネット接続キー１０９は、外部のネットワーク接続用の操作キーとして機能する。
【００２５】
そして、ユーザが携帯電話１をカメラとして使用すべく、カメラキー１０４をワンタッチ操作すると、制御部１２２は、着信待受け状態を維持したまま、このカメラキー１０４の操作に応答してカメラモードに移行する。このカメラモードへの移行に伴って、制御部１２２は、撮像レンズ１１８により撮像デバイス１３０上に結像された被写体像を、メイン表示部１０２にモニター表示させる。そして、メイン表示部１０２に被写体像を表示させつつ、プログラムＲＯＭ１２５に格納されているプログラムに基づき、図６のフローチャートに示すように処理を実行する。
【００２６】
すなわち、カメラキー１０４の操作が検出されたか否かを判断する（ステップＳ１）。そして、カメラモードにおいてカメラキー１０４の操作が検出された場合には、このカメラモードを抜けてムービー撮影モードに移行する（ステップＳ２）。なお、カメラモードを抜けた時点で、カメラモード設定内容記憶テーブル１２４１の記憶内容はクリアされる。
【００２７】
また、カメラキー１０４の操作がない場合には（ステップＳ１；ＮＯ）、メールキー１０５の操作が検出されたか否かを判断する（ステップＳ３）。メールキー１０５の操作が検出された場合には、カメラモードにおけるメールキー１０５の操作回数を検出してカウント値Ｎを更新するとともに、カメラモード設定内容記憶テーブル１２４１をカウント値Ｎの値に応じて更新し、さらにメイン表示部１０２の一部に表示しているアイコンをカメラモード設定内容記憶テーブル１２４１の内容に応じて切り替えて（ステップＳ４）、リターンする。
【００２８】
すなわち、メールキー１０５の操作検出直後においては、前記カウント値は初期値Ｎの状態にある。つまり、撮影サイズの対応テーブルＭＴ（図４（ａ））においてカウント値Ｎ（初期値）に対応する画像サイズは「ＵＸＧＡ」であるから、カメラモード設定内容記憶テーブル１２４１の撮影サイズ領域１２４６には「ＵＸＧＡ」が記憶されている。そして、前記ステップＳ３で例えば４回目のメールキー１０５の操作が検出されたとすると、カウント値は「Ｎ＋４」となる。このとき対応テーブルＭＴ（図４（ａ））において、カウント値「Ｎ＋４」に対応する撮影サイズは「ＶＧＡ」である。よって、図５（ｂ）に示したように、カメラモード設定内容記憶テーブル１２４１の撮影サイズ領域１２４６には「ＶＧＡ」が記憶されて更新される。したがって、通信モードにおいてはメールモード移行時及びメールプログラムロード時に操作されるキーとして機能していたメールキー１０５は、カメラモードにおいては画像サイズを切り替えるキーとして機能することとなる。
【００２９】
また、メールキー１０５の操作が検出されなかった場合には（ステップＳ３；ＮＯ）、アドレスキー１０８の操作が検出されたか否かを判断する（ステップＳ５）。アドレスキー１０８の操作が検出された場合には、被写体像が表示されているメイン表示部１０２の表示切り替えを行ってサブメニューを表示する（ステップＳ６）。また、このサブメニューの表示は、所定のメニュー抜け操作が検出されるまで継続し（ステップＳ７）、メニュー抜け操作が検出されたならばリターンして、サブメニュー表示を切り替えて被写体像に復帰する。したがって、通信モードにおいてはアドレス帳データを表示する際に操作されるキーとして機能していたアドレスキー１０８は、カメラモードにおいてはサブメニュー表示を切り替えるキーとして機能することとなる。
【００３０】
また、アドレスキー１０８の操作が検出されなかった場合には（ステップＳ５；ＮＯ）、ネット接続キー１０９の操作が検出されたか否かを判断する（ステップＳ８）。ネット接続キー１０９の操作が検出された場合には、カメラモードにおけるネット接続キー１０９の操作回数を検出してカウント値Ｎを更新するとともに、カメラモード設定内容記憶テーブル１２４１をカウント値Ｎの値に応じて更新し、さらにメイン表示部１０２の一部に表示しているアイコンをカメラモード設定内容記憶テーブル１２４１の内容に応じて切り替えて（ステップＳ９）、リターンする。
【００３１】
すなわち、ネット接続キー１０９の操作直後においては、前記カウント値は初期値Ｎの状態にある。つまり、撮影シーンの対応テーブルＮＴ（図４（ｂ））においてカウント値Ｎ（初期値）に対応する画像サイズは「人物撮影」であるから、カメラモード設定内容記憶テーブル１２４１の撮影シーン領域１２４７には「人物撮影」が記憶されている。そして、前記ステップＳ８で例えば４回目のネット接続キー１０９の操作が検出されたとすると、カウント値は「Ｎ＋４」となる。このとき対応テーブルＮＴ（図４（ｂ））において、カウント値「Ｎ＋４」に対応する撮影シーンは「トワイライト撮影」である。よって、図５（ｂ）に示したように、カメラモード設定内容記憶テーブル１２４１の撮影シーン領域１２４７には「トワイライト撮影」が記憶されて更新される。したがって、通信モードにおいては外部のネットワーク接続用の操作キーとして機能していたネット接続キー１０９は、カメラモードにおいては撮影シーン（撮影条件）を切り替えるキーとして機能することとなる。
【００３２】
また、ネット接続キー１０９の操作が検出されなかった場合には（ステップＳ８；ＮＯ）、決定キー１０７の操作が検出されたか否かを判断する（ステップＳ１０）。決定キー１０７の操作が検出された場合には、撮像レンズ１１８により撮像デバイス１３０上に結像されている被写体の画像を取り込む。このとき、撮像デバイス１３０の撮影サイズを撮影サイズ領域１２４６に記憶されているサイズに切り替えるとともに、ＤＳＰ１２９を制御して撮影シーン領域１２４７に記憶されている撮影シーンに応じた画像処理を施す（ステップＳ１１）。
【００３３】
引き続き、この取り込まれた画像をメイン表示部１０２に表示させた後（ステップＳ１２）、保存操作が検出されるまで（ステップＳ１３）、この画像表示を継続する。そして、再度決定キー１０７が操作されることにより保存操作が検出されると（ステップＳ１３；ＹＥＳ）、撮影日時をファイル名として、取り込まれた画像を画像メモリ１２４４に記憶させた後（ステップＳ１４）、リターンする。
【００３４】
なお、本実施の形態においては、本発明を携帯電話に適用した場合を示したが、これに限ることなく、ＰＤＡ、デジタルカメラ、携帯型ゲーム機等通信機能と撮影機能とを併有するの比較的小型の他の機器に適用し得ることは勿論である。
【図面の簡単な説明】
【００３５】
【図１】（ａ）は本実施の形態における携帯電話の正面図、（ｂ）は背面図である。
【図２】携帯電話の構成を示すブロック図である。
【図３】プログラムＲＯＭのメモリエリアの構成を示す概念図である。
【図４】（ａ）はメールキー１０５の操作回数と撮影サイズの対応テーブルを示す概念図、（ｂ）はネット接続キー１０９の操作回数と撮影シーン（撮影条件）の対応テーブルを示す概念図である。
【図５】（ａ）はＲＡＭのメモリエリアの構成を示す概念図、（ｂ）はカメラモード設定内容記憶テーブルの構成を示す概念図である。
【図６】本実施の形態における制御部の処理手順を示すフローチャートである。
【符号の説明】
【００３６】
１    携帯電話
１０２    メイン表示部
１０４    カメラキー
１０５    メールキー
１０６    十字キー
１０７    決定キー
１０８    アドレスキー
１０９    ネット接続キー
１１０    クリアキー
１１１    オンフックキー
１１２    オフフックキー
１１３    テンキー
１１７    報知用ＬＥＤ
１１８    撮像レンズ
１２１    無線部
１２２    制御部
１２４    ＲＡＭ
１２５    プログラムＲＯＭ
１２８    表示モジュール系ドライバ
１２９    ＤＳＰ
１３０    撮像デバイス
１２２１    通信データ処理部
１２２２    システムＲＯＭ
１２４１    カメラモード設定内容記憶テーブル
１２４２    アドレス帳記憶領域
１２４３    メールデータ記憶領域
１２４４    画像メモリ
１２４５    ワーク領域
１２４６    撮影サイズ領域
１２４７    撮影シーン領域
１２５１    第１テーブル格納領域
１２５２    第２テーブル格納領域
１２５３    ソフトウェアプログラム格納領域
ＭＴ    対応テーブル
ＮＴ    対応テーブル
【図１】
2005086613.tif 000003
【図２】
2005086613.tif 000004
【図３】
2005086613.tif 000005
【図４】
2005086613.tif 000006
【図５】
2005086613.tif 000007
【図６】
2005086613.tif 000008